(57)【特許請求の範囲】
【請求項１】
入金紙幣を投入させると共に、該入金紙幣のうちの返却するリジェクト紙幣を区分して集積する紙幣投入返却部を有する紙幣分離集積機構であって、
紙幣を搬送路に繰出すピックアップローラと、
該ピックアップローラ側に配された移動可能な第１の紙幣受け、及び該第１の紙幣受けとの間に入金紙幣を受け入れる移動可能な第１のビルプレスからなる第１の集積部と、
前記第１のビルプレスの背面側に配された移動可能な第２の紙幣受け、及び該第２の紙幣受けとの間にリジェクト紙幣を受け入れる移動可能な第２のビルプレスからなり、リジェクト紙幣を立位状態で集積する第２の集積部とを備え、
前記第１の集積部に受け入れた入金紙幣を搬送路に繰出す際は、入金紙幣を前記第１の紙幣受けと第１のビルプレスで挟んでピックアップローラ側に移動することで、前記入金紙幣を前記ピックアップローラに押圧し、
リジェクト紙幣の取り忘れが生じた場合は、そのリジェクト紙幣を前記第２の紙幣受けと第２のビルプレスで挟んでピックアップローラ側に移動することで、前記リジェクト紙幣を前記ピックアップローラに押圧することを特徴とする紙幣分離集積機構。
【請求項２】
入金紙幣を投入させると共に、該入金紙幣のうちの返却するリジェクト紙幣を区分して集積する紙幣投入返却部を有する紙幣分離集積機構であって、
入金紙幣を搬送路に繰出す第１のピックアップローラと、
リジェクト紙幣を前記搬送路に繰出す第２のピックアップローラと、
前記第１および第２のピックアップローラ側に配された移動可能な第１の紙幣受け、及び該第１の紙幣受けとの間に入金紙幣を受け入れる移動可能な第１のビルプレスからなる第１の集積部と、
前記第１のビルプレスの背面側に配された移動可能な第２の紙幣受け、及び該第２の紙幣受けとの間にリジェクト紙幣を受け入れる移動可能な第２のビルプレスからなる第２の集積部とを備え、
前記第１の紙幣受けに前記第１のピックアップローラを前記入金紙幣に接触させるための開口部と前記第２のピックアップローラを前記リジェクト紙幣に接触させるための開口部それぞれを設け、
前記第１のビルプレスと前記第２の紙幣受けには前記第２のピックアップローラにリジェクト紙幣に接触させるための開口部を設け、
前記第１の集積部に受け入れた入金紙幣を搬送路に繰出す際は、入金紙幣を前記第１の紙幣受けと第１のビルプレスで挟んで前記第１のピックアップローラ側に移動することで、前記入金紙幣を前記第１のピックアップローラに押圧し、
リジェクト紙幣の取り忘れが生じた場合は、そのリジェクト紙幣を前記第２の紙幣受けと第２のビルプレスで挟んで前記第２のピックアップローラ側に移動することで、前記リジェクト紙幣を前記第２のピックアップローラに押圧することを特徴とする紙幣分離集積機構。
【請求項３】
請求項２に記載の紙幣分離集積機構において、
前記第２のピックアップローラを前記入金紙幣から退避する位置へ移動可能に構成し、
前記入金紙幣から退避した前記第２のピックアップローラを固定する回転可能なロック部を備え、
リジェクト紙幣を前記搬送路に繰出すとき、前記第１の紙幣受けにより前記ロック部が押圧されて、回転することにより前記第２のピックアップローラの固定を解除することを特徴とする紙幣分離集積機構。
【請求項４】
請求項３に記載の紙幣分離集積機構において、
入金紙幣の枚数に応じ、前記第１の紙幣受けにより前記ロック部が押圧されて、回転することにより前記第２のピックアップローラの固定を解除し、前記第２のピックアップローラと前記第１のピックアップローラとで入金紙幣を前記搬送路に繰出すことを特徴とする紙幣分離集積機構。
【発明の詳細な説明】
【技術分野】
【０００１】
本発明は、入金される紙幣を分離搬送して処理する紙幣分離集積機構に関する。
【背景技術】
【０００２】
従来の紙幣分離集積機構は、第１のビルプレスと第２のビルプレスとを設けており、入金取引において顧客に返却するリジェクト紙幣を顧客が取り忘れてしまった場合に、そのリジェクト紙幣を搬送路に繰出す際に第１のビルプレスを垂直状態で停止させ、第２のビルプレスを移動させることによって第１のビルプレス側にリジェクト紙幣を押すことで、第１のビルプレスを下端の軸を中心に９０度回転させて水平状態にし、その第１のビルプレス上を第２のビルプレスがリジェクト紙幣を押しながらピックアップローラまで移動している（例えば、特許文献１参照。）。
【特許文献１】特開平９−１４７１９３号公報（段落「００４３」−段落「００４４」、第８図）
【発明の開示】
【発明が解決しようとする課題】
【０００３】
しかしながら、上述した従来の技術においては、第１のビルプレスが９０度回転して水平状態となるために、その上をリジェクト紙幣が通過する際に横倒れしてしまうことや、リジェクト紙幣が第１のビルプレスの回転につられるようにして倒れてしまうことがあり、それによってリジェクト紙幣の繰出し不良の原因となってしまうという問題がある。
本発明は、上記の問題点を解決するための手段を提供することを目的とする。
【課題を解決するための手段】
【０００４】
本発明は、上記課題を解決するために、入金紙幣を投入させると共に、該入金紙幣のうちの返却するリジェクト紙幣を区分して集積する紙幣投入返却部を有する紙幣分離集積機構であって、紙幣を搬送路に繰出すピックアップローラと、該ピックアップローラ側に配された移動可能な第１の紙幣受け、及び該第１の紙幣受けとの間に入金紙幣を受け入れる移動可能な第１のビルプレスからなる第１の集積部と、前記第１のビルプレスの背面側に配された移動可能な第２の紙幣受け、及び該第２の紙幣受けとの間にリジェクト紙幣を受け入れる移動可能な第２のビルプレスからなり、リジェクト紙幣を立位状態で集積する第２の集積部とを備え、前記第１の集積部に受け入れた入金紙幣を搬送路に繰出す際は、入金紙幣を前記第１の紙幣受けと第１のビルプレスで挟んでピックアップローラ側に移動することで、前記入金紙幣を前記ピックアップローラに押圧し、リジェクト紙幣の取り忘れが生じた場合は、そのリジェクト紙幣を前記第２の紙幣受けと第２のビルプレスで挟んでピックアップローラ側に移動することで、前記リジェクト紙幣を前記ピックアップローラに押圧することを特徴とする。
【発明の効果】
【０００５】
これにより、本発明は、リジェクト紙幣を挟持したまま第２の紙幣受けと第２のビルプレスをピックアップローラ側に移動するため、ピックアップローラによってリジェクト紙幣を１枚ずつ分離して搬送路に繰出すため、リジェクト紙幣を移動させる間でのリジェクト紙幣の横倒れ等による繰出し不良の発生を防止することができるという効果が得られる。
【発明を実施するための最良の形態】
【０００６】
以下に、図面を参照して本発明による紙幣分離集積機構の実施例について説明する。
【実施例１】
【０００７】
図１は実施例１の紙幣分離集積機構を備えた自動取引装置を示す外観図である。
図１において、１は自動取引装置であり、銀行等の金融機関の店舗に設置され顧客との取引を自動で行う。
この自動取引装置１は、表示操作部２、カードリードライト部４、通帳取扱部５、音声案内部６、顧客検知部７、フリッカランプ８、プラズマディスプレイ９、硬貨分離集積機構１０、紙幣分離集積機構１５等を備えている。
【０００８】
表示操作部２は自動取引装置１正面の接客面に露出させて設けられており、表示面を上に向けたＣＲＴディスプレイまたは液晶ディスプレイ等による表示部と、表示部上に配置したタッチパネルによる操作部とが用いられ、顧客の操作を誘導するメッセージを配した画面や各種の入力キーを表示し、その入力キーをタッチパネル上から指で押下することにより、入力キーに定義された情報を入力できる他、入力された情報の表示等も行うようになっている。
【０００９】
カードリードライト部４は、顧客の取引カードに設けられた磁気ストライプに対してデータの読取及び書込みを行う機能を有し、そのカード挿入返却口は前記接客面に設けられている。
通帳取扱部５は、挿入された顧客の通帳の磁気ストライプに記録されている通帳情報を読み書きする機能を有すると共に取引内容等を顧客の通帳に記帳する機能を有し、通帳挿入返却口は前記接客面に設けられている。
【００１０】
音声案内部６は、接客面に設けたスピーカとマイクロフォンによって構成され、顧客に操作のための音声案内等を行う機能を有する。
顧客検知部７は、例えば超音波によるセンサで顧客が自動取引装置１の正面に立ったことを検知する機能を有する。
フリッカランプ８は、接客面にあるカード挿入返却口や通帳挿入返却口、後述する硬貨入出金口、紙幣入出金口等の近傍に設けられ、点滅することで顧客に対して取引カードや通帳の挿入等の操作誘導を行う機能を有する。
【００１１】
プラズマディスプレイ９は、接客面上部に設けられており、横方向にスクロールする文字を表示する機能を有し、自動取引装置１で取引可能な取引種別等の各種情報の表示を行う。
硬貨分離集積機構１０は、接客面に設けられた硬貨入出金口１０ａに投入された硬貨を受け入れて収納すると共に、収納している硬貨を顧客に払出す機能を有し、自動取引装置１に内蔵されている。
【００１２】
図２は紙幣分離集積機構の内部を示す説明図である。
紙幣分離集積機構１５は、接客面に設けられた紙幣入出金口１５ａから紙幣投入部１６に投入された紙幣や出金取引で払い出す紙幣を紙幣投入部１６に立てた状態で収納するように構成されている。
１７は搬送路であり、対向配置されたローラあるいはベルト等により構成され、紙幣を挟持して搬送する。
【００１３】
１８は表裏反転部であり、出金取引で顧客に支払う紙幣を揃えるために、予め設定された向きとなるように紙幣の表裏を反転させる機能を有する。
１９は鑑別部であり、紙幣投入部１６から搬送路１７により搬送された紙幣の真偽、正損、金種、表裏等を鑑別する。
２０は切替ブレードであり、鑑別部１９での鑑別結果に応じて紙幣の搬送方向を切替えるためのブレードであり、本発明ではリジェクト紙幣と鑑別された紙幣は図２に示す矢印ニ方向へと搬送方向を切替え、正券と鑑別された紙幣は矢印ホ方向へと搬送方向を切替える。
【００１４】
２１は金種別カセット部であり、鑑別部１９で鑑別された紙幣を設定された金種ごとに集積する複数のカセットで構成される。
２２は一時保管部であり、金種別カセット部２１の各カセットの上部に取り付けられて鑑別部１９にて正券と鑑別された紙幣を金種別に一時的に保管し、顧客との取引が確定したときに保管している紙幣を金種別カセット部２１に移すようになっている。
【００１５】
２３は補充回収カセットであり、自動取引装置１からの現金回収等で用いられて自動取引装置１の背面側から取り出し可能に構成され、金種別カセット部２１から回収した紙幣を収納するスペースと、出金取引で金種別カセット部２１から繰出されて鑑別部１９でリジェクト紙幣と鑑別された紙幣を収納するスペースとが区切られている。
２４はリジェクト庫であり、入金取引で顧客が取り忘れたリジェクト紙幣として返却した紙幣を収納するスペースと、顧客が入金した紙幣の内、２千円札や５千円札等の金種別カセット部２１で収納しない金種の紙幣等を収納するスペースとで区切られるように構成される。
【００１６】
ここで、図３は紙幣投入部を示す説明図、図４は紙幣投入部を示す斜視図であり、以下に紙幣投入部１６の構成について説明する。
図３において、２５はシャッタ部であり、紙幣投入部１６に立てた状態で収納された紙幣の面の直交方向に開閉する両開きのシャッタを備える。そして顧客により紙幣が投入されるとき、あるいは顧客へ紙幣を出金するときシャッタを開いて、紙幣を搬送しているとき等はシャッタを閉じて取引処理中での顧客による不意の紙幣投入部１６への手挿入等の事故を防ぐ。
【００１７】
紙幣投入部１６内は、図示しない駆動源によって紙幣の面に直交する方向に移動する４枚の壁材（第１の紙幣受け２６、第１のビルプレス２７、第２の紙幣受け２８、第２のビルプレス２９という。）によって仕切られている。図３に示す第１のピックアップローラ３１に近い側から第１の紙幣受け２６と第１のビルプレス２７を配する。
そして、第１のビルプレス２７の背面側に第２の紙幣受け２８、第２のビルプレス２９の順に並べて配する。
【００１８】
図４に示すように第１の紙幣受け２６は第１のピックアップローラ３１および第２のピックアップローラ３２の外周に触れないようするための開口部２６ａを有する。
また、第１のビルプレス２７と第２の紙幣受け２８は、第２のピックアップローラ３２の外周や後述する第２のビルプレス２９の突起部２９ａに触れないようにするための開口部２７ａ、２８ａを有する。
【００１９】
第２のビルプレス２９は、第２のピックアップローラ３２と対向する位置に突起部２９ａを有しており、この突起部２９ａは第１のビルプレス２７と第２の紙幣受け２８とを合わせた厚みより厚く、かつ第２のピックアップローラ３２を第１のピックアップローラ３１より後方に傾けるように押圧する厚みに形成される。
入金口３０は、搬送路１７の最上流に配置されて、第１のピックアップローラ３１、第２のピックアップローラ３２、フィードローラ３３、ゲートローラ３４とによって構成される。
【００２０】
第１のピックアップローラ３１と第２のピックアップローラ３２は、紙幣を繰出すために充分な摩擦力を有する高摩擦部材が取り付けられる他、スプリング等によって第１の紙幣受け２６の側に付勢力を受ける。
また第２のピックアップローラ３２は、その回転軸の手前で第１の紙幣受け２６と第１のビルプレス２７、第２の紙幣受け２８が隣接して並んだときに、そのローラの外周面が開口部２６ａ、２７ａ、２８ａを通って第２のビルプレス２９側に突出するよう、半径の大きさが決められている。
【００２１】
３５はロック部であり、第２のピックアップローラ３２の回転軸を取り付けたブラケットの係止部３２ａに引っ掛かるツメ３５ａを備え、これによって第２のピックアップローラ３２を第１のピックアップローラ３１よりも後方に傾いて、外周面が投入された紙幣に当たらないよう退避した位置に固定する。
ロック部３５は、図３に示す反時計回りの付勢力を受ける図示しないスプリングと、突出部３５ｂを備えており、第１のピックアップローラ３１の回転軸の手前まで移動した第１の紙幣受け２６の一部突出した壁押圧部２６ｂが突出部３５ｂを押圧したときに、時計回りにロック部３５全体が回転し、これによってツメ３５ａが第２のピックアップローラ３２から外れて、傾いた状態の第２のピックアップローラ３２が起き上がる。
【００２２】
フィードローラ３３は、外周面の一部には紙幣を搬送するために充分な摩擦力を有する高摩擦部材を備えると共に、円周方向全域にわたるリング状の溝部が２本並設されている。
ゲートローラ３４は、フィードローラ３３に対向配置されて、その外周面には円周方向にリング状の溝部が１本設けられ、対向するフィードローラ３３の溝部と凸部にかみ合うように配置される。
【００２３】
３６はリジェクト集積ローラ部であり、一対のローラで構成されて、鑑別部１９の鑑別結果から図２の矢印ニ方向へ搬送されたリジェクト紙幣を紙幣投入部１６内に送り出す。
図５は自動取引装置を示すブロック図である。
図５において、４０は主制御部であり、主記憶部４１に格納された制御プログラムに従って自動取引装置１の各部を制御し、各種の取引処理を遂行する。
【００２４】
４１は主記憶部であり、制御プログラムを格納する他、主制御部４０による処理結果等を記憶する。
上述した構成の作用について説明する。
自動取引装置１の主制御部４０は、表示操作部２に入金取引、出金取引等の各種取引の選択肢等を配した取引選択画面を表示して待機しており、顧客によって入金取引の選択肢が入力されると、これを認識して表示操作部２に取引カードまたは通帳の挿入を促す文言を表示する。
【００２５】
主制御部４０は、顧客が取引カードをカードリードライト部４に挿入、または通帳を通帳取扱部５に挿入すると、紙幣分離集積機構１５のシャッタ部２５を開くと共に、表示操作部２に紙幣の投入を促す文言を表示する。
そして顧客は紙幣を紙幣投入部１６に投入する。
ここで、図６は入金取引時の紙幣投入部を示す説明図である。
【００２６】
図６に示すように、第１の紙幣受け２６は紙幣入出金口１５ａの下方の空間よりも左側に位置させ、第１のビルプレス２７は紙幣入出金口１５ａの下方の空間よりも右側に位置させる。
これによって、紙幣投入部１６に投入された紙幣は第１の紙幣受け２６と第１のビルプレス２７との間で立てた状態で収納される。
【００２７】
顧客により紙幣が紙幣投入部１６に投入されると、主制御部４０は図示しないセンサによって紙幣投入部１６に紙幣が投入されたことを認識し、タイマー機能により紙幣の投入を認識してから一定時間経過したことを認識してシャッタ部２５を閉じる。
主制御部４０は、第１のビルプレス２７を第１の紙幣受け２６の方へ移動させることで、紙幣を第１の紙幣受け２６と第１のビルプレス２７で挟持し、その状態のまま第１の紙幣受け２６と第１のビルプレスとを第１のピックアップローラ３１側へ移動させる。
【００２８】
ここで、図７は紙幣を第１のピックアップローラに押し付けた様子を示す説明図である。
第１の紙幣受け２６は第１のピックアップローラ３１に触れないための開口を有しているため、移動する第１の紙幣受け２６の開口部２６ａから第１のピックアップローラ３１を突出し、図７に示すように紙幣は第１のビルプレス２７によって第１のピックアップローラ３１に押し付けられる。
【００２９】
なお、第１の紙幣受け２６は、ロック部３５の突出部３５ｂに触れず、かつ開口部２６ａから第１のピックアップローラ３１の外周が突出する位置まで移動する。
また、図７に示すように、第２の紙幣受け２８をリジェクト集積ローラ部３６の真上から左寄りに、また第２のビルプレス２９をリジェクト集積ローラ部３６の真上から右寄りに位置させることで、リジェクト紙幣ローラ部３６から送り出されたリジェクト紙幣の集積空間を形成する。
【００３０】
主制御部４０は、第１のピックアップローラ３１を回転させて紙幣を一枚ずつ分離し、フィードローラ３３とゲートローラ３４との間で挟持して搬送路１７へ繰出す。
主制御部４０は、搬送路１７によって紙幣を鑑別部１９に搬送して紙幣の鑑別を行い、その鑑別結果に基づいて切替ブレード２０で紙幣の搬送方向の切替えを行い、正券と鑑別した紙幣は図２に示す矢印ホの方向に搬送し、リジェクト紙幣と鑑別した紙幣は図２に示す矢印ニの方向に搬送する。
【００３１】
主制御部４０は、正券と鑑別した紙幣の金種毎の枚数を計数することで合計金額を計数して計数した合計金額を記憶部４１に記憶し、紙幣を金種別に一時保管部２２に集積していく。
一方、主制御部４０は図２に示す矢印ニ方向に搬送したリジェクト紙幣をリジェクト集積ローラ部３６によって挟持し、紙幣投入部１６内に送り出す。
【００３２】
これによって、紙幣投入部１６に送り出したリジェクト紙幣は第２の紙幣受け２８と第２のビルプレス２９との間に集積される。
ここで、図８はリジェクト紙幣を返却する様子を示す説明図である。
主制御部４０は、鑑別部１９で全ての紙幣の鑑別が終了して全てのリジェクト紙幣の集積が終了してから、図８に示すように第２の紙幣受け２８と第２のビルプレス２９とをシャッタ部２５の下方に移動させ、シャッタ部２５を開放することによって顧客にリジェクト紙幣を返却する。
【００３３】
主制御部４０は、記憶部４１に記憶した合計金額を読み出し、その合計金額と金額確認を促す文言、紙幣の再投入の有無を問う文言等を配した画面を表示操作部２に表示し、入金取引処理に関する動作を通常通りに実行して入金取引処理を終了する。
次に顧客がリジェクト紙幣を取り忘れたまま自動取引装置１から離れてしまったときのリジェクト紙幣取込みの動作について説明する。
【００３４】
ここで、図９はリジェクト紙幣の取込みへの移行状態を示す説明図である。
リジェクト紙幣を顧客に返却する際に、主制御部４０はリジェクト紙幣を受け取るように促す画面を表示操作部２で表示するが、それでも顧客が取り忘れたまま自動取引装置１を離れたことを顧客検知部７の検知によって認識すると、リジェクト紙幣を取込むための処理を開始する。
【００３５】
具体的には、主制御部４０は、シャッタ部２５を閉じると共に第１の紙幣受け２６を第１のピックアップローラ３１の回転軸の手前まで移動させる。
そのため、ロック部３５は、突出部３５ｂが第１の紙幣受け２６によって押され、全体が回転してツメ３５ａが第２のピックアップローラ３２から外れ、図９に示すように第２のピックアップローラ３２が第１のピックアップローラ３１と同位置まで起き上がる。
【００３６】
第１のピックアップローラ３１と第２のピックアップローラ３２は、その外周が第１の紙幣受け２６の開口部２６ａから突出した状態となっている。
次に、主制御部４０は第１のビルプレス２７を第１の紙幣受け２６側に移動させると共に、第２の紙幣受け２８と第２のビルプレス２９とをその間でリジェクト紙幣を挟持したまま、第１の紙幣受け２６側に移動させていく。
【００３７】
第１のビルプレス２７は、第１の紙幣受け２６に接触する位置まで移動する。そして開口部２７ａによって第２のピックアップローラ３２と触れないよう構成されているが、第１のピックアップローラ３１には当たるようになっており、当てたまま移動することで、第１のピックアップローラ３１を第２のピックアップローラ３２よりも後方に押し込んでいく。
【００３８】
図１０は、リジェクト紙幣の取込時の紙幣投入部を示す説明図である。
また、第２の紙幣受け２８が第１のビルプレス２７に接触する位置まで移動したとき、図１０に示すように、第２のピックアップローラ３２の外周の一部が第２の紙幣受け２８の開口部２８ａから突出する。
そして、リジェクト紙幣は、突出した第２のピックアップローラ３２の外周と第２のビルプレス２９の突起部２９ａとの間に挟まれる。
【００３９】
主制御部４０は、リジェクト紙幣を第２のピックアップローラ３２に押し付ける状態を保つように第２のビルプレス２９を徐々に移動させつつ、第２のピックアップローラ３２を回転させてリジェクト紙幣を１枚ずつ分離し、フィードローラ３３とゲートローラ３４との間で挟持して搬送路１７へ繰出し、繰出したリジェクト紙幣をリジェクト庫２４に搬送して収納することで、リジェクト紙幣の取込みを終了する。
【００４０】
このとき、第２のピックアップローラ３２はロック部３５から外れて起き上がった状態であり、この状態のままで新たな取引で第１の紙幣受けと第１のビルプレスとの間に投入された紙幣を搬送路に繰出そうとしたときに第２のピックアップローラ３２が紙幣と接触しても、第１のビルプレス側には開口部が設けられているために、少数束等で紙幣に腰が無い状態では第２のピックアップローラ３２の回転によって紙幣が開口部に押し込まれるような状態で分離不良を引き起こす。
【００４１】
そのために、ロック部３５から外れて起き上がった第２のピックアップローラ３２を再びロック部３５によって第１のピックアップローラ３１よりも後方に傾いた位置に固定するための処理動作を実行する。
リジェクト紙幣を全て搬送路１７に繰出すと第２のビルプレス２９は第２の紙幣受け２８に接する位置まで移動し、第２のピックアップローラ３２は後方に傾けられた状態となっている。
【００４２】
図１１は第２のピックアップローラをロック部で固定した様子を示す説明図である。
図１１に示すように、主制御部４０は、第１の紙幣受け２６の壁押圧部２６ｂがロック部３５の突出部３５ｂから退避し、かつ第２のビルプレスの突起部２９ａが第２のピックアップローラ３２を押圧して後方に傾けた状態を維持する位置まで、第１の紙幣受け２６と第１のビルプレス２７、第２の紙幣受け２８、第２のビルプレス２９を同時に移動させる。
【００４３】
このようにすると、突出部３５ｂを押していた第１の紙幣受け２６が離れるため、ロック部３５は図１１に示すように反時計回りに回転し、ツメ３５ａが上記で押圧されて傾いた第２のピックアップローラ３２の係止部３２ａに引っ掛かる。
そして、ロック部３５で第２のピックアップローラ３２を第１のピックアップローラ３１よりも後方に傾いて、外周面が入金取引等で投入された紙幣に当たらないよう退避した位置に固定する。
【００４４】
以上説明したように、本実施例では、左右方向に往復可能な第１の紙幣受け、第１のビルプレス、第２の紙幣受け、第２のビルプレスを設け、入金紙幣におけるリジェクト紙幣を第２の紙幣受けと第２のビルプレスとの間に立位の状態で集積して、リジェクト紙幣を取込むときには、リジェクト紙幣を挟持したまま第２の紙幣受けと第２のビルプレスを第２のピックアップローラ側に移動させ、第２のピックアップローラによってリジェクト紙幣を１枚ずつ分離して搬送路に繰出すため、リジェクト紙幣を移動させる間でのリジェクト紙幣の倒れ等による繰出し不良の発生を防止することができる。
【００４５】
また、従来のような第１のビルプレス等を回転させるための機構を省くことができるので、紙幣投入部の機構をより簡略化することができ、これによってコスト削減や全体の小型化等を図ることができる。
なお、上記実施例１においては第２のピックアップローラをリジェクト紙幣の取込時に用いるものとして説明したが、これに限らず第１の紙幣受けと第１のビルプレスとの間に大量枚の紙幣が投入された場合のように、積み重なった紙幣の厚みによる表面の凹凸で第１のピックアップローラがうまく紙幣を繰出せなく、スキューの原因となるときには、第２のピックアップローラを固定しているロックをはずして、第１のビルプレスで充分に紙幣を繰出せるくらいまで第２のピックアップローラで紙幣の繰出しを補助する等、紙幣の枚数に応じて第２のピックアップローラを使い分けるようにしてもよい。
【図面の簡単な説明】
【００４６】
【図１】実施例１の紙幣分離集積機構を備えた自動取引装置を示す外観図
【図２】紙幣分離集積機構の内部を示す説明図
【図３】紙幣投入部を示す説明図
【図４】紙幣投入部を示す斜視図
【図５】自動取引装置を示すブロック図
【図６】入金取引時の紙幣投入部を示す説明図
【図７】紙幣を第１のピックアップローラに押し付けた様子を示す説明図
【図８】リジェクト紙幣を返却する様子を示す説明図
【図９】リジェクト紙幣の取込みへの移行状態を示す説明図
【図１０】リジェクト紙幣の取込時の紙幣投入部を示す説明図
【図１１】第２のピックアップローラをロック部で固定した様子を示す説明図
【符号の説明】
【００４７】
１    自動取引装置
２    表示操作部
４    カードリードライト部
５    通帳取扱部
６    音声案内部
７    顧客検知部
８    フリッカランプ
９    プラズマディスプレイ
１０  硬貨分離集積機構
１０ａ  硬貨入出金口
１５  紙幣分離集積機構
１５ａ  紙幣入出金口
１６  紙幣投入部
１７  搬送路
１８  表裏反転部
１９  鑑別部
２０  切替ブレード
２１  金種別カセット部
２２  一時保管部
２３  補充回収カセット
２４  リジェクト庫
２５  シャッタ部
２６  第１の紙幣受け
２６ｂ  壁押圧部
２７  第１のビルプレス
２８  第２の紙幣受け
２９  第２のビルプレス
２６ａ、２７ａ、２８ａ  開口部
２９ａ  突起部
３０  入金口
３１  第１のピックアップローラ
３２  第２のピックアップローラ
３２ａ  係止部
３３  フィードローラ
３４  ゲートローラ
３５  ロック部
３５ａ  ツメ
３５ｂ  突出部
３６  リジェクト集積ローラ部
４０  主制御部
４１  主記憶部
【図１】
0005292761.tif 000002
【図２】
0005292761.tif 000003
【図３】
0005292761.tif 000004
【図４】
0005292761.tif 000005
【図５】
0005292761.tif 000006
【図６】
0005292761.tif 000007
【図７】
0005292761.tif 000008
【図８】
0005292761.tif 000009
【図９】
0005292761.tif 000010
【図１０】
0005292761.tif 000011
【図１１】
0005292761.tif 000012